(57)【特許請求の範囲】
【請求項１】
被確認者本人が所持し該本人の顔写真が付されたカードを用いて、本人確認を行う際に利用される本人確認補助装置であって、
筐体と、
この筐体に設けられ確認作業者が視認する第１の表示装置と、
前記筐体の前記第１の表示装置が設けられた面とは相違する面に設けられ、確認作業が行われる際に前記カードがセットされるカード載置部と、
このカード載置部にセットされた前記カードの画像を取込む撮像手段と、
この撮像手段により取込まれたカード画像のうち少なくとも前記顔写真を含んだ画像を前記第１の表示装置に表示させる画像表示制御手段とを具備し、
前記撮像手段は、面受光センサと液晶表示画面とを一体的に有し画像入力及び画像表示が可能な第２の表示装置から構成されると共に、
前記カード載置部は、前記第２の表示装置の前面部に位置され、前記カードの表面が該第２の表示装置の画面に宛がわれた状態にセットされるように構成され、
前記第１の表示装置及び第２の表示装置は、前記筐体の互いに反対側の面に配置されることを特徴とする本人確認補助装置。
【請求項２】
前記第１の表示装置のバックライトが、前記第２の表示装置の面受光センサの光源を兼用していることを特徴とする請求項１記載の本人確認補助装置。
【請求項３】
前記第２の表示装置には、前記カード載置部にカードがセットされていない状態で、メッセージ画面が表示されることを特徴とする請求項１又は２記載の本人確認補助装置。
【請求項４】
前記カード載置部にカードがセットされたことを検出する検出手段と、この検出手段の検出に基づいて前記撮像手段の撮像動作を実行させる動作制御手段とを備えると共に、
前記検出手段は、前記第２の表示装置の面受光センサの検出信号に基づいて、前記カードがセットされたことを光学的に検出するように構成されていることを特徴とする請求項１ないし３のいずれかに記載の本人確認補助装置。
【請求項５】
前記カードは、ＩＣチップを内蔵した非接触ＩＣカードであり、
前記筐体には、前記カードに内蔵されたＩＣチップとの間での通信により、情報を読取るためのカードリーダが設けられていることを特徴とする請求項１ないし４のいずれかに記載の本人確認補助装置。
【請求項６】
前記カードリーダが読取った読取データを、前記第１の表示装置に表示するデータ表示制御手段を備えることを特徴とする請求項５記載の本人確認補助装置。
【請求項７】
前記カード載置部にカードがセットされたことを検出する検出手段と、この検出手段の検出に基づいて前記撮像手段の撮像動作を実行させる動作制御手段とを備えると共に、
前記検出手段は、前記カードリーダが前記カードからの応答信号を受信することに基づいて、前記カードがセットされたことを検出するように構成されていることを特徴とする請求項５又は６記載の本人確認補助装置。
【発明の詳細な説明】
【技術分野】
【０００１】
本発明は、被確認者本人が所持し該本人の顔写真が付されたカードを用いて、本人確認を行う際に利用される本人確認補助装置に関する。
【背景技術】
【０００２】
例えば役所や金融機関等では、窓口で手続きを行う者が本人であるかどうかを確認することが行われ、また、入口で入場者の入場資格の有無のチェックを行う施設（会社等）なども多くなってきている。このような本人確認のためには、一般に、例えば運転免許証、パスポート、住民基本台帳カード、社員証、学生証などの顔写真入りのカード（身分証明証）を用いることが行われる。
【０００３】
従来では、有人の利用窓口等で、身分証明用のカードにより本人確認を行う場合には、確認作業者が、被確認者から本人の顔写真入りのカードを受取り、その顔写真と、本人の顔を見比べて確認を行うことが一般的であった。これに対し、近年では、確認作業の簡単化、確実化等を図るため、様々なカードやその確認方法、確認装置が提案されている。
【０００４】
例えば、特許文献１には、表面に顔写真を印刷することに代えて、利用者の顔写真のデータをＩＣチップ内に記憶させておくようにした身分証明用のＩＣカードが示されている。そして、確認作業を行う窓口担当者が、ＩＣカード利用者からＩＣカードを受取り、これを利用者情報読み取り装置に挿入することにより、顔写真のデータが読取られて表示装置に表示される。窓口担当者は、表示装置に表示された顔写真と利用者本人とを見比べて本人確認を行うようになっている。
【特許文献１】特開２０００−２１５２９５号公報
【発明の開示】
【発明が解決しようとする課題】
【０００５】
従来では、上記したような有人の窓口において本人確認を行うにあたって、顔写真付きの身分証明用カード、顔写真のデータが記憶されたＩＣカードのいずれを用いる場合でも、被確認者の所持するカードを、確認作業者に一旦手渡しする過程が必要となっていた。しかし、カードの所有者（被確認者）にとっては、個人情報が記載（記憶）されているカードが、一時的（短時間）ではあるものの第三者の手に渡ることになるため、本人確認とは関係のない知られたくない個人情報までもが他人に見られてしまうことを嫌う場合があり、或いは、第三者にカードを手渡したことによって何らかのトラブル（内部データの不正利用等）が発生するのではないかといった不安を感じることがあった。
【０００６】
本発明は上記事情に鑑みてなされたもので、その目的は、顔写真付きのカードを用いて本人確認を行う際に、被確認者が確認作業者にそのカードを渡すことなく本人確認を可能とする本人確認補助装置を提供するにある。
【課題を解決するための手段】
【０００７】
上記目的を達成するために、本発明の本人確認補助装置は、被確認者本人が所持し該本人の顔写真が付されたカードを用いて、本人確認を行う際に利用されるものであって、筐体と、この筐体に設けられ確認作業者が視認する第１の表示装置と、前記筐体の前記第１の表示装置が設けられた面とは相違する面に設けられ、確認作業が行われる際に前記カードがセットされるカード載置部と、このカード載置部にセットされた前記カードの画像を取込む撮像手段と、この撮像手段により取込まれたカード画像のうち少なくとも前記顔写真を含んだ画像を前記第１の表示装置に表示させる画像表示制御手段とを具備し、前記撮像手段は、面受光センサと液晶表示画面とを一体的に有し画像入力及び画像表示が可能な第２の表示装置から構成されると共に、前記カード載置部は、前記第２の表示装置の前面部に位置され、前記カードの表面が該第２の表示装置の画面に宛がわれた状態にセットされるように構成され、前記第１の表示装置及び第２の表示装置は、前記筐体の互いに反対側の面に配置されるところに特徴を有する（請求項１の発明）。
【０００８】
上記構成において、本人確認を行う際に、被確認者は、本人の顔写真が付されたカードを、筐体のカード載置部にセットする。すると、撮像手段によりそのカードの画像が取込まれると共に、画像表示制御手段により、そのカード画像のうち少なくとも顔写真を含んだ画像が第１の表示装置に表示される。これにより、確認作業者は、第１の表示装置に表示された顔写真の画像と、被確認者本人の顔とを見比べることにより、本人確認を行うことができる。この場合、被確認者がカードを確認作業者に渡すことなく、カードをカード載置部にセットするだけで、本人確認を行うことが可能となる。また、カード載置部と第１の表示装置とは筐体の相違する面に設けられるので、被確認者と確認作業者とが必要以上に接近することなく済ませることができる。
【０００９】
しかも、撮像手段を、面受光センサと液晶表示画面とを一体的に有し画像入力及び画像表示が可能な第２の表示装置から構成し、このとき、カード載置部を、その第２の表示装置の前面部に位置して、カードの表面が該第２の表示装置の画面に宛がわれた状態にセットされるように構成した。これにより、撮像手段の構成が簡単となると共に、被確認者が、カードを第２の表示装置の画面に宛がうようにセットすれば良いので、カード載置部へのセットの作業が容易となる。また、面受光センサによってカードの画像を確実に取込むことができる。
【００１０】
更に、前記第１の表示装置及び第２の表示装置を、前記筐体の互いに反対側の面に配置させる構成としたので、被確認者と確認作業者とが、例えば窓口を挟んで反対側に位置している状態で、本人確認の作業を行うことができ、両者が必要以上に接近する必要がなく、両者にとっての安全性、安心感が得られる。
【００１１】
このとき、前記第１の表示装置のバックライトが、前記第２の表示装置の面受光センサの光源を兼用している構成とすれば（請求項２の発明）、全体の構成の簡単化や、筐体の薄型化を図ることができる。また、前記カード載置部にカードがセットされていない状態で、前記第２の表示装置に、メッセージ画面を表示するように構成しても良く（請求項３の発明）、これにより、第２の表示装置の液晶表示画面に、例えば入場の仕方、注意事項、カードのセットの仕方などの各種のメッセージを表示することができ、使いやすさや利便性を向上することができる。
【００１２】
さらには、カード載置部にカードがセットされたことを検出する検出手段と、この検出手段の検出に基づいて前記撮像手段の撮像動作を実行させる動作制御手段とを設けることができ、この際に、検出手段を、第２の表示装置の面受光センサの検出信号に基づいて、カードがセットされたことを光学的に検出するように構成することができる（請求項４の発明）。これにより、第２の表示装置の面受光センサを用いて、カードがセットされたことを自動で検出して撮像動作を実行させることができる。
【００１３】
本発明においては、上記カードを、ＩＣチップを内蔵した非接触ＩＣカードから構成すると共に、前記筐体に、前記カードに内蔵されたＩＣチップとの間での通信により、情報を読取るためのカードリーダを設けることができる（請求項５の発明）。これにより、カードの画像の取込みに加えて、ＩＣチップに記憶された情報、例えばＩＤ情報などを読取ることができ、顔写真による本人確認の作業と同時に、データの読取りを行うことが可能となる。このとき、前記カードリーダが読取った読取データを、前記第１の表示装置に表示するデータ表示制御手段を設けることができ（請求項６の発明）、これにより、ＩＣチップに記憶されている情報などを確認作業者にも表示することが可能となる。
【００１４】
このようにカードリーダを設ける場合においても、カード載置部にカードがセットされたことを検出する検出手段と、この検出手段の検出に基づいて撮像手段の撮像動作を実行させる動作制御手段とを設けることができ、このとき、検出手段を、前記カードリーダがカードからの応答信号を受信することに基づいて、カードがセットされたことを検出するように構成することができる（請求項７の発明）。これにより、カードリーダを用いて、カードがセットされたことを自動で検出して撮像動作を実行させることができる。
【発明を実施するための最良の形態】
【００１５】
以下、本発明の一実施例について、図面を参照しながら説明する。尚、本実施例では、本発明を、会社、施設などの入口（入門ゲート）に設けられる守衛所のカウンタに設置される本人確認補助装置に適用したものである。この場合、来場者（被確認者）が、自らが所持する非接触型ＩＣカードからなる従業員証又は入門許可証を提示し、確認作業者である守衛が本人確認を行う場合を具体例としてあげながら説明する。
【００１６】
まず、身分証明用のカード１について、簡単に述べておく。図４（ａ）に示すように、カード１は、プラスチック製の基材の表面に、所定の事項（氏名、所属部課、年齢、カードの有効期限など）が記載されていると共に、左上部に位置して本人（所持者）の顔写真２が付されている。尚、このカード１としては、従業員証等に限らず、例えば運転免許証、パスポート、住民基本台帳カード等、国や自治体が発行するものであっても良い。
【００１７】
また、詳しく図示はしないが、このカード１内には、後述するＲＦリーダとの間で電磁波による通信を行うためのアンテナコイル３（破線で示す）が内蔵されると共に、ＲＦリーダに対するデータ通信処理やデータの保持等を行うためのＩＣチップが内蔵されている。周知のように、前記ＩＣチップは、ＲＦリーダの給電用信号から動作電源を得るための整流・平滑回路、通信等の制御を行うＣＰＵ、送受信信号の変調，復調を行う変復調回路、動作プログラム等を記憶するＲＯＭ、加入者情報（ＩＤ）等のデータを記憶するメモリ（ＥＥＰＲＯＭ等）をワンチップ化して構成されている。
【００１８】
次に、本実施例に係る本人確認補助装置４の構成について述べる。図１及び図２に示すように、この本人確認補助装置４の筐体５は、全体として、前後両面及び底面がやや横長な長方形状をなし、側面が三角形状をなす箱状に構成されている。従って、筐体５の前後両面は傾斜状をなしている。尚、ここでは、守衛所のカウンタに筐体５が設置される場合、筐体５の図１で右側を向く面が守衛を向く側となるので、こちらを内面側と称し、その反対側の面（図１で左側を向く面）を、来訪者を向く側である外面側と称する。
【００１９】
前記筐体５の内面側には、図３、図４（ｂ）にも示すように、確認作業者（守衛）が視認する第１の表示装置６が設けられている。この第１の表示装置６は、例えばカラー液晶パネルからなり、図１、図３に示すように、その背面側（筐体５の中央部）には、バックライト７が配設されている。尚、この第１の表示装置６の画面は、前記カード１の大きさよりもやや大きく構成されている。
【００２０】
これに対し、筐体５の外面側（図１で左側）には、図１〜図３に示すように、第２の表示装置８が設けられる。この第２の表示装置８は、表示素子の間に受光素子を二次元に配列して構成された「インプットディスプレイ」と称されるもので、図１に示すように、面受光センサ８ａと、液晶表示画面８ｂとを一体的に有し、画像入力と共に画像表示が可能なものとされている。この第２の表示装置８の画面の大きさは、前記カード１の大きさとほぼ同等ないしは若干大きく構成されている。
【００２１】
このとき、この第２の表示装置８は、その表面部に読取対象物（前記カード１）を当てるだけで、面受光センサ８ａによって画像データを取込めるようになっており、撮像手段として機能する。また、本実施例では、前記第１の表示装置６のバックライト７が、第２の表示装置８の画像入力時及び画像表示時の光源として兼用される構成とされている。尚、この第２の表示装置８の液晶表示画面８ｂには、通常時（面受光センサ８ａによる画像入力時以外のとき）には、例えば、操作ガイダンス用のメッセージ画面が表示されるようになっている。
【００２２】
そして、前記筐体５のうち、第２の表示装置８が設けられた外面側には、前記カード１がセットされるカード載置部としてのカード置き台９が設けられている。図２に示すように、このカード置き台９は、筐体５の外面側の下辺部のほぼ全体に、側面Ｌ字状をなすように延びて設けられており、前記カード１の下縁部を載置することにより、該カード１が、第２の表示装置８の表面部に宛がわれた状態にセットされるようになっている。
【００２３】
さらに、図３にのみ図示するように、前記筐体５内には、カードリーダとしてのＲＦリーダ１０が組込まれている。このＲＦリーダ１０は、図１及び図２にも示すように、第２の表示装置８の裏側近傍に位置して、前記カード１のアンテナコイル３との間での電磁波による通信を行うためのループ状のアンテナ１１を備えている。
【００２４】
前記ＲＦリーダ１０は、周知のように、前記アンテナ１１に接続された送信回路及び受信回路、それらに接続された通信制御回路などを備えて構成されている。前記通信制御回路は、送信回路を通じてアンテナ１１に電力信号を出力すると共に、アンテナ１１が受けた受信信号を、受信回路を通じて復調してデータとして抽出するようになっている。これにより、前記カード１がカード置き台９にセットされた状態で、そのカード１（ＩＣチップ）に対して電磁波による電力供給が行われると共に、データの通信（読取り）が行われるようになっている。
【００２５】
図３は、本人確認補助装置４の電気的構成を概略的に示しており、筐体５内には、全体を制御するためのＣＰＵ１２、及び、プログラムや各種データを記憶するメモリ１３が配設されている。前記ＣＰＵ１２は、前記第１の表示装置６の表示を制御すると共に、バックライト７を制御し、また、第２の表示装置８の液晶表示画面８ｂに対する表示制御及び面受光センサ８ａの画像入力を制御するようになっている。さらに、ＣＰＵ１２は、前記ＲＦリーダ１０の制御を行なうようになっている。
【００２６】
さて、本実施例では、前記ＣＰＵ１２は、そのソフトウエア的構成により、以下のような制御を実行する。即ち、ＣＰＵ１２は、通常時には、上記のように、バックライト７を点灯させ、第２の表示装置８の液晶表示画面８ｂにメッセージ画面を表示させる（図２参照）。これと共に、ＣＰＵ１２は、間欠的にカード１の検出動作を実行することによって、カード置き台９にカード１が載置（セット）されたかどうかを常に監視するようになっている。
【００２７】
このとき、本実施例では、ＣＰＵ１２は、前記第２の表示装置８の面受光センサ８ａの受光信号からカード１の有無を光学的に検出するようになっている。具体的には、第２の表示装置８の画面の前面部にカード１が存在する場合には、第２の表示装置８の面受光センサ８ａが受光する画像に、明暗のエッジが存在するようになるので、画像信号における明暗のエッジの有無を判断することにより、カード１がセットされたことを検出することができるのである。従って、ＣＰＵ１２及び第２の表示装置８の面受光センサ８ａ等から検出手段が構成される。
【００２８】
そして、カード置き台９にカード１がセットされたことを検出したときに、ＣＰＵ１２は、第２の表示装置８の面受光センサ８ａにより、カード１の表面の画像を取込み、取込んだ画像を、前記第１の表示装置６に表示させるようになっている。この場合、図４（ｂ）に示すように、第１の表示装置６には、カード１全体の画像が実物大あるいは拡大して表示されるようになっている。
【００２９】
さらに、ＣＰＵ１２は、カード置き台９にカード１がセットされたことを検出したときに、前記ＦＲリーダ１０により、カード１（ＩＣチップ）のデータの読取りを行うようになっている。また、必要に応じて、カード１から読取った読取データを、第１の表示装置６に表示させるようになっている。従って、ＣＰＵ１２が、画像表示制御手段、動作制御手段、データ表示制御手段として機能するのである。
【００３０】
次に、上記構成の作用について述べる。上記のように、本実施例に係る本人確認補助装置４は、会社、施設などの入口に設けられる守衛所のカウンタ上に、第２の表示装置８を外側に向け、第１の表示装置６側を内側（守衛側）に向けて設置される。カード１がセットされていない通常時には、図２に示すように、外側を向く第２の表示装置８（液晶表示画面８ｂ）には、例えば「カードの表面を当ててください」といったメッセージ画面が表示される。これと共に、本人確認補助装置４のＣＰＵ１２は、カード置き台９にカード１が載置（セット）されたかどうかを常に監視している。
【００３１】
来場者（被確認者）は、守衛所を通る際に、図１に示すように、自らが所持する身分証明用のカード１を、本人確認補助装置４のカード置き台９にセットする。このとき、第２の表示装置８（液晶表示画面８ｂ）にガイダンス用のメッセージ画面が表示されているので、被確認者はカード１を第２の表示装置８に宛がうようにして容易にセットすることができる。
【００３２】
すると、本人確認補助装置４（ＣＰＵ１２）においては、第２の表示装置８の面受光センサ８ａの受光信号からカード１がセットされたことを光学的に検出し、面受光センサ８ａによるカード１の表面の画像の取込み動作を実行する。そして、図４（ｂ）に示すように、ＣＰＵ１２は、面受光センサ８ａによって取込んだ画像、この場合カード１全体の画像を、第１の表示装置６に表示させる。
【００３３】
守衛（確認作業者）は、第１の表示装置６に表示された顔写真を見て、来場者（被確認者）の顔と見比べることにより、本人確認を行うことができる。尚、これと共に、本人確認補助装置４のＣＰＵ１２は、ＲＦリーダ１０により、カード１（ＩＣチップ）のデータの読取りを行い、必要に応じて、その読取データ等を第１の表示装置６に併せて表示させるようになっている。確認作業が完了すると、被確認者は、カード１をカード置き台９から取外して回収する。
【００３４】
このように本実施例の本人確認補助装置４によれば、顔写真付きのカード１を用いて有人の窓口等で本人確認を行うにあたり、従来のような被確認者が本人のカードを確認作業者に一旦渡さなければならなかったものと異なり、被確認者がカード１を確認作業者に渡すことなく、カード１をカード置き台９（第２の表示装置８の表面）にセットするだけで、確認作業者による本人確認作業が可能となった。この結果、カード１の所有者（被確認者）にとって、カード１を他人に手渡すことに伴う不安を取除くことができる。
【００３５】
また、特に本実施例では、筐体５の外面側に設けられる撮像手段を、面受光センサ８ａと液晶表示画面８ｂとを一体的に有し画像入力及び画像表示が可能な第２の表示装置８から構成したので、撮像手段の構成が簡単となると共に、被確認者が、カード１を第２の表示装置８の画面に宛がうようにセットすれば良いので、カード置き台９へのセットの作業が容易となる。面受光センサ８ａによってカード１の表面の画像を確実に取込むことができる。
【００３６】
この場合、カード１がセットされていない通常時に、第２の表示装置８（液晶表示画面８ｂ）に、メッセージ（ガイダンス）画面を表示するようにしたので、使いやすさや利便性を向上させることができる。しかも、面受光センサ８ａの検出信号に基づいて、カード１がセットされたことを光学的に検出し、撮像動作を自動で実行させることができるメリットも得ることができる。
【００３７】
さらには、第１の表示装置６と、第２の表示装置８とを、前記筐体４の互いに反対側の面に配置させたので、被確認者と確認作業者とが、窓口を挟んで反対側に位置している状態で、本人確認の作業を行うことができ、両者が必要以上に接近する必要がなく、両者にとっての安全性、安心感が得られる。第１の表示装置６のバックライト７を、第２の表示装置８の面受光センサ８ａの光源を兼用させるようにしたので、構成の簡単化や、筐体５の薄型化を図ることができる。
【００３８】
そして、本実施例では、筐体５内にＲＦリーダ１０を内蔵させ、カード１に内蔵されたＩＣチップとの間での通信により情報を読取るようにしたので、カード１の画像の取込みに加えて、ＩＣチップに記憶された情報を同時に読取ることができ、カード１に付された顔写真による本人確認と、カード１内のデータの読取りとを、２回の操作に分けずとも一度に行うことができるものである。
【００３９】
尚、本発明は上記した実施例に限定されるものではなく、例えば以下のような拡張、変更が可能である。
即ち、第１の表示装置にカードの表面全体を表示させるものに限らず、少なくとも顔写真部分を表示すれば良い。顔写真部分を拡大（あるいは縮小）して表示するようにしても良い。
【００４０】
上記実施例では、検出手段として、面受光センサ８ａの検出信号に基づいてカード１がセットされたことを検出する構成を採用したが、カード（ＲＦ）リーダによって、カードとの間で通信を行うことによって、カードが接近されたことを検出し、これをもってカードがカード載置部にセットされたことを検出する検出手段としての機能を実現するようにしても良い。また、カードがセットされたことを自動で検出して画像取込み動作を実行させるものに限らず、カード画像の取込みを指示するための操作スイッチを設けて、カードがセットされたた際に、確認作業者によりその操作スイッチが操作されることに基づき、画像取込みを行う構成としても良い。
【００４１】
カードの表面にバーコードや二次元コードなどの情報コードを設け、本人確認補助装置に、その光学情報の読取機能を設けても良い。本人確認補助装置にＯＣＲ読取機能を設けても良い。これらの場合も、それら読取りデータを、顔写真と共に第１の表示装置に表示させることができ、より高度な本人確認を行うことが可能となる。本人確認補助装置に上位の管理用コンピュータ（パソコン）を接続し、その管理用コンピュータにデータを送信して、来場者の管理を行うように構成しても良い。ＲＦリーダによって読取ったＩＣチップ内のデータを管理用コンピュータに送信するようにしても良い。
【００４２】
その他、例えば筐体の形状としても、単純な矩形箱状などであっても良く、また、カード載置部の構成としても水平面にカードを載置する構成としても良いなど様々な変形が可能であり、さらには、本発明の本人確認補助装置は、会社、施設等の守衛所に設置されるものに限らず、例えば役所や金融機関等の窓口で手続きを行う者が本人であるかどうかを確認する場合に適用するようにしても良い等、本発明は要旨を逸脱しない範囲内で適宜変更して実施し得るものである。
【図面の簡単な説明】
【００４３】
【図１】本発明の一実施例を示すもので、本人確認補助装置の構成を示す側面図
【図２】本人確認補助装置の外観を示す斜視図
【図３】本人確認補助装置の電気的構成を概略的に示すブロック図
【図４】カードの正面図（ａ）及び表示装置にそのカードの画像が表示された様子を示す図（ｂ）
【符号の説明】
【００４４】
図面中、１はカード、２は顔写真、４は本人確認補助装置、５は筐体、６は第１の表示装置、７はバックライト、８は第２の表示装置（撮像手段）、８ａは面受光センサ、８ｂは液晶表示画面、９はカード置き台（カード載置部）、１０はＲＦリーダ（カードリーダ）、１２はＣＰＵ（画像表示制御手段、動作制御手段、データ表示制御手段）を示す。
【図１】
0004816269.tif 000002
【図２】
0004816269.tif 000003
【図３】
0004816269.tif 000004
【図４】
0004816269.tif 000005